(57)【要約】【課題】給電コンセントと差し込みプラグとのオン／オフの目視確認性に優れていると共に、構造的、ランニングコスト的にも優れているコンセントプラグアダプタを提供すること。【解決手段】給電用の給電コンセントＣと電気機器の差し込みプラグＰとの間に介在させて両者を電気的に且つ機械的に連結するコンセントプラグアダプタ１であって、給電コンセントＣに連結する電源プラグ部と、差し込みプラグが連結される配電コンセント部３１とを備え、電源プラグ部に対して配電コンセント部３１を回転させることにより、給電コンセントＣと差し込みプラグＰとの導通又は遮断を切り替えられるようになっている。【選択図】図１
2007172850.tif 000002
【特許請求の範囲】
【請求項１】
給電用の給電コンセントと電気機器の差し込みプラグとの間に介在させて両者を電気的に且つ機械的に連結するコンセントプラグアダプタであって、
給電コンセントに連結する電源プラグ部と、差し込みプラグが連結される配電コンセント部とを備え、
電源プラグ部に対して配電コンセント部を回転させることにより、給電コンセントと差し込みプラグとの導通又は遮断を切り替えられるようになっているコンセントプラグアダプタ。
【請求項２】
前記電源プラグ部が設けられた給電側固定部及び前記配電コンセント部が設けられた機器側回転部を主体として構成されており、機器側回転部は給電側固定部に対して回転するようになっている請求項１記載のコンセントプラグアダプタ。
【請求項３】
前記電源プラグ部が前記給電コンセントに連結された状態において、前記配電コンセント部の回転軸は、水平方向に沿って延びている請求項２記載のコンセントプラグアダプタ。
【請求項４】
前記機器側回転部は、前記給電側固定部に対して、前記給電コンセントと前記差し込みプラグとの導通位置及び遮断位置それぞれにおいて位置決めされるようになっている請求項２又は３に記載のコンセントプラグアダプタ。
【請求項５】
前記差し込みプラグは、略扁平のグリップ部を有しており、
前記配電コンセント部に差し込みプラグが連結された状態において、前記導通位置におけるグリップ部の扁平方向に対して前記遮断位置におけるグリップ部の扁平方向のなす角は、実質的に９０度である請求項４記載のコンセントプラグアダプタ。
【請求項６】
前記差し込みプラグは、略扁平のグリップ部を有しており、
前記配電コンセント部に差し込みプラグが連結された状態において、前記導通位置における差し込みプラグのグリップ部の扁平方向に対して前記遮断位置における差し込みプラグのグリップ部の扁平方向のなす角は、４０〜５０度である請求項４記載のコンセントプラグアダプタ。
【請求項７】
前記機器側回転部の外面は、前記配電コンセント部が設けられた面を除き、前記給電側固定部に被覆されている請求項２〜６の何れかに記載のコンセントプラグアダプタ。
【発明の詳細な説明】
【技術分野】
【０００１】
本発明は、給電用の給電コンセントと電気機器の差し込みプラグとの間に介在させて両者を電気的に且つ機械的に連結するコンセントプラグアダプタに関する。
【背景技術】
【０００２】
従来より、給電用の給電コンセントと電気機器の差し込みプラグとの間に介在させて両者を電気的に且つ機械的に連結するコンセントプラグアダプタ（以下単に「アダプタ」ともいう）が使用されている（下記特許文献１参照）。
特許文献１記載のアダプタは、タンブラスイッチや、赤外線センサー又はリモコンを用いた非接触スイッチを備えており、これらのスイッチを操作することにより、給電コンセントと差し込みプラグとの導通又は遮断を切り替えられるようになっている。
【０００３】
【特許文献１】実開平７−４２０５２号公報
【発明の開示】
【発明が解決しようとする課題】
【０００４】
しかし、特許文献１記載のアダプタにおいては、給電コンセントと差し込みプラグとの導通状態又は遮断状態（オン／オフ）を目視で確認することが難しく、オン／オフの目視確認性を向上させるには、例えば導通状態で点灯するランプを設ける必要がある。そのため、構造的、ランニングコスト的（ランプの点灯に要する電力消費）に優れていなかった。
【０００５】
従って、本発明の目的は、給電コンセントと差し込みプラグとのオン／オフの目視確認性に優れていると共に、構造的、ランニングコスト的にも優れているコンセントプラグアダプタを提供することにある。
【課題を解決するための手段】
【０００６】
本発明は、給電用の給電コンセントと電気機器の差し込みプラグとの間に介在させて両者を電気的に且つ機械的に連結するコンセントプラグアダプタであって、給電コンセントに連結する電源プラグ部と、差し込みプラグが連結される配電コンセント部とを備え、電源プラグ部に対して配電コンセント部を回転させることにより、給電コンセントと差し込みプラグとの導通又は遮断を切り替えられるようになっているコンセントプラグアダプタを提供することにより前記目的を達成したものである。
【発明の効果】
【０００７】
本発明のコンセントプラグアダプタによれば、給電コンセントと差し込みプラグとのオン／オフの目視確認性に優れていると共に、構造的、ランニングコスト的にも優れている。
【発明を実施するための最良の形態】
【０００８】
以下、本発明のコンセントプラグアダプタについて、その好ましい第１実施形態に基づき図面を参照しながら説明する。
第１実施形態のコンセントプラグアダプタ（以下単に「アダプタ」ともいう）１は、図１〜図７に示すように、給電用の給電コンセントＣと電気機器の差し込みプラグＰとの間に介在させて両者を電気的に且つ機械的に連結するコンセントプラグアダプタ（以下単に「アダプタ」ともいう）である。
【０００９】
給電用の給電コンセントＣは、建物の壁等に設けられた、電気機器への給電用のコンセントである。給電コンセントＣには、電気機器の差し込みプラグにおけるピンや本実施形態のアダプタ１における電源プラグ部２１の一対のピン２２（詳細は後述）を挿通可能なピン挿通孔Ｃ１が二対設けられている。一対のピン挿通孔Ｃ１は水平方向に並列している。ピン挿通孔Ｃ１の内部には、挿通された電源プラグ部２１のピン２２に接触して給電する給電端子（図示せず）が設けられている。
【００１０】
電気機器は、給電された電気により稼働する機器類である。電気機器の差し込みプラグＰは、グリップＰ１、ピンＰ２及びケーブルＰ３を主体として構成されている。グリップＰ１は、差し込みプラグＰの差し込み及び引き抜きの際に摘む部分であり、ケーブルＰ３側からピンＰ２側に向けて末広がりの略扁平な形状を有している。ピンＰ２は、本実施形態のアダプタ１における配電コンセント部３１の一対のピン挿通孔３２（詳細は後述）に挿通可能となっており、ピン挿通孔３２に対応して一対設けられている。
【００１１】
本実施形態のアダプタ１は、図１〜図７に示すように、給電コンセントＣに連結する電源プラグ部２１と、差し込みプラグＰが連結される配電コンセント部３１とを備えている。そして、本実施形態のアダプタ１は、電源プラグ部２１に対して配電コンセント部３１を回転させることにより、給電コンセントＣと差し込みプラグＰとの導通〔図１（ｂ）に、図６、図７に示す状態〕又は遮断〔図１（ａ）、図４、図５に示す状態〕を切り替えられるようになっている。
【００１２】
本実施形態のアダプタ１の構成要素について更に詳述する。尚、本実施形態のアダプタ１の説明において、特に明記のない限り、配電コンセント部３１側を「前面側」、電源プラグ部２１側を「背面側」という。前面側と背面側とを結ぶ方向を「前後方向」という。
「上側」、「下側」、「左側」及び「右側」とは、特に明記のない限り、それぞれ、本実施形態のアダプタ１の電源プラグ部２１を給電コンセントＣに連結した状態における「上側」（図１に示すＲ１側）、「下側」（図１に示すＲ２側）、「左側」（図１に示すＲ３側）及び「右側」（図１に示すＲ４側）をいう。
【００１３】
本実施形態のアダプタ１は、図２及び図３に示すように、電源プラグ部２１が設けられた給電側固定部２及び配電コンセント部３１が設けられた機器側回転部３を主体として構成されている。アダプタ１の全体形状は略正四角柱状であり、機器側回転部３の外面は、配電コンセント部３１が設けられた面を除き、給電側固定部２に被覆されている。機器側回転部３は給電側固定部２に対して回転するようになっている。
【００１４】
給電側固定部２は、プラグ固定部４、スイッチ部５及び回転部収容部６を備えている。
プラグ固定部４は、電源プラグ部２１が設けられた部位であり、電源プラグ部２１、固定部本体４１及び固定スイッチ片４２を主体として構成されている。
【００１５】
電源プラグ部２１は、板片状の一対のピン２２がその厚み方向に離間して並列して構成されている。ピン２２は、固定部本体４１の背面側から立設している。固定スイッチ片４２は、固定部本体４１の前面側に一対のピン２２に対応して一対設けられている。対応するピン２２と固定スイッチ片４２とは導通している。固定スイッチ片４２は、スイッチ部５の可動スイッチ片５４（詳細は後述）と、一対の接触式スイッチを構成する。
【００１６】
スイッチ部５は、スイッチ部本体５１、差し込みプラグ接点部５２、接点部付勢バネ５３及び可動スイッチ片５４を主体として構成されている。
スイッチ部本体５１は、スイッチ部５の外周を形成する部材であり、プラグ固定部４の固定部本体４１の前面側に連結されている。スイッチ部本体５１には、プラグ固定部４における一対の固定スイッチ片４２に対応する位置に、前後方向に延びる一対のスイッチ可動空間５１Ａが形成されている。
【００１７】
差し込みプラグ接点部５２は、一対のスイッチ可動空間５１Ａに、前後方向に移動自在にそれぞれ設けられている。差し込みプラグ接点部５２の前面側は先鋭形状となっている。
差し込みプラグ接点部５２の背面側には、接点部付勢バネ５３が配設されている。接点部付勢バネ５３は、スイッチ部５の差し込みプラグ接点部５２の背面側とプラグ固定部４の前面側等との間に挟持されるように配設されており、そのため、差し込みプラグ接点部５２を前面側に常時付勢するようになっている。
【００１８】
可動スイッチ片５４は、一対の差し込みプラグ接点部５２にそれぞれ固定されており、そのため、差し込みプラグ接点部５２の移動に従って前後方向に移動自在になっている。可動スイッチ片５４は、プラグ固定部４の固定スイッチ片４２と、一対の接触式スイッチを構成するように対向している。
【００１９】
スイッチ部５においては、差し込みプラグ接点部５２は、自然状態（前面側からの押圧力が加わっていない状態）では、図２及び図４に示すように、接点部付勢バネ５３の付勢力により前面側に付勢されているが、可動スイッチ片５４がストッパーとなり、スイッチ部本体５１のスイッチ可動空間５１Ａの内壁に係合する。この状態において、差し込みプラグ接点部５２における先鋭形状の前面側は、スイッチ部本体５１の前面側よりも回転部収容部６側に延出している。
【００２０】
一方、差し込みプラグ接点部５２は、押圧状態（前面側から背面側への押圧力が加わっている状態）では、図６及び図７に示すように、可動スイッチ片５４がプラグ固定部４の固定スイッチ片４２に当接するまで押圧され、そのため、接点部付勢バネ５３が押し縮められる（詳細は後述）。
【００２１】
回転部収容部６は、収容部本体６１、係合凸部６３及び係合凸部付勢バネ６４を主体として構成されている。
収容部本体６１は、回転部収容部６の外周を形成する部材であり、スイッチ部５のスイッチ部本体５１の前面側に連結されている。収容部本体６１には、スイッチ部５における差し込みプラグ接点部５２に対応する位置に、前後方向に延びる回転部摺動空間６２が形成されている。回転部摺動空間６２の内周面は、その前面側（機器側回転部３側）が径の小さい小径部６２Ａとなっており、その背面側（差し込みプラグ接点部５２側）が径の大きい大径部６２Ｂとなっている。
【００２２】
大径部６２Ｂには、差し込みプラグ接点部５２の自然状態において、差し込みプラグ接点部５２の前面側が配置している。
小径部６２Ａの内周面には、機器側回転部３の内側摺動部３４（詳細は後述）が前後方向を回転軸として摺動回転するようになっている。小径部６２Ａには、正面視で上側、左側、下側及び右側に９０度間隔をあけて４個の回転止め付勢バネ６４が配設されている。回転止め付勢バネ６４の付勢方向は、正面視中心方向である。回転止め付勢バネ６４は、１８０度間隔をあけて２個配設してもよい。
【００２３】
回転止め付勢バネ６４の先端部には、係合凸部６３が取り付けられている。係合凸部６３は、機器側回転部３の内側摺動部３４の外周面に設けられた係合凹部３７（詳細は後述）に係合し得るようになっている。
【００２４】
機器側回転部３は、略円柱形状の内側摺動部３４を主体として構成されており、前面側に配電コンセント部３１を備えている。配電コンセント部３１には、前後方向に延びる一対のピン挿通孔３２が形成されており、ピン挿通孔３２には、差し込みプラグＰのピンＰ２が挿通可能になっている。ピン挿通孔３２の内部には、挿通された差し込みプラグＰのピンＰ２を厚み方向に押圧して適度な抜け止め力を発現させる抜け止めバネ３３が設けられている。
【００２５】
内側摺動部３４の前面側には、径方向に延出した機器側フランジ３５が設けられており、内側摺動部３４の背面側には、径方向に延出した給電側フランジ３６が設けられている。この機器側フランジ３５及び給電側フランジ３６により、機器側回転部３は、前後方向の移動が拘束された状態で、前後方向を回転軸として給電側固定部２における回転部収容部６の回転部摺動空間６２の小径部６２Ａ内を摺動回転自在になっている。従って、電源プラグ部２１が給電コンセントＣに連結された状態において、配電コンセント部３１の回転軸は、水平方向に沿って延びている。
【００２６】
内側摺動部３４の外周面には、正面視で９０度間隔をあけて４個の係合凹部３７が設けられている。４個の係合凹部３７のうちの２個は、ピン挿通孔３２の厚み方向に配置しており、残りの２個は幅方向に配置している。係合凹部３７には、前述したように、給電側固定部２の回転部収容部６における係合凸部６３が係合するようになっている。
【００２７】
給電側固定部２の回転部収容部６においては、正面視中心方向に向けて付勢されている係合凸部６３が、機器側回転部３の内側摺動部３４における係合凹部３７に係合すると、給電側固定部２に対する機器側回転部３の回転位置が位置決めされる。この位置決めピッチは、係合凸部６３及び係合凹部３７の回転方向ピッチに対応して９０度となる。機器側回転部３を位置決めされた状態から回転させるには、係合凹部３７から係合凸部６３が外れるような力で機器側回転部３を回転させればよい。
【００２８】
本実施形態のアダプタ１は、図１及び図６に示すように、電源プラグ部２１の一対のピン２２を給電コンセントＣの一対のピン挿通孔Ｃ１に挿通する形で、給電コンセントＣに電気的に且つ機械的に連結される。電源プラグ部２１の一対のピン２２は、給電コンセントＣの一対のピン挿通孔Ｃ１に挿通されると、前記給電端子（図示せず）に接触し、給電される。給電コンセントＣの一対のピン挿通孔Ｃ１は水平方向に並列しているので、電源プラグ部２１の一対のピン２２も水平方向に並列する。
【００２９】
本実施形態のアダプタ１における配電コンセント部３１の一対のピン挿通孔３２には、電気機器の差し込みプラグＰの一対のピンＰ２が挿通される。差し込みプラグＰのグリップＰ１を摘んでグリップＰ１を回転させると、ピンＰ２を介して配電コンセント部３１（機器側回転部３）も併せて回転させることができる。
【００３０】
図４及び図５に示すように、差し込みプラグＰを回転させて、差し込みプラグＰのグリップＰ１の扁平方向Ｄ２を垂直方向に（つまり電源プラグ部２１の一対のピン２２の並列方向と直交する方向に）配置すると、回転部収容部６の係合凸部６３は機器側回転部３の係合凹部３７に係合し、機器側回転部３はこの回転位置で位置決めされる。この回転位置においては、差し込みプラグＰのピンＰ２は、給電側固定部２における回転部収容部６の回転部摺動空間６２内において、スイッチ部５の差し込みプラグ接点部５２とは接触しない。
【００３１】
一方、図６及び図７に示すように、差し込みプラグＰを回転させて、差し込みプラグＰのグリップＰ１の扁平方向Ｄ１を水平方向に（つまり電源プラグ部２１の一対のピン２２の並列方向に）配置すると、回転部収容部６の係合凸部６３は、先に係合していた係合凹部３７とは９０度ずれた位置の係合凹部３７に係合し、機器側回転部３はこの回転位置で位置決めされる。この回転位置においては、差し込みプラグＰのピンＰ２は、給電側固定部２における回転部収容部６の回転部摺動空間６２内において、スイッチ部５の差し込みプラグ接点部５２を押圧して接触する。
【００３２】
詳細には、差し込みプラグＰを回転させることにより、差し込みプラグＰのピンＰ２の先端部は、差し込みプラグ接点部５２の前面側の先鋭形状に従って、差し込みプラグ接点部５２の前面側を徐々に押圧する。そして、差し込みプラグ接点部５２は差し込みプラグＰのピンＰ２により背面側に押圧され、所定の回転位置で、回転部収容部６の係合凸部６３が係合凹部３７に係合し、機器側回転部３は位置決めされる。
【００３３】
差し込みプラグ接点部５２が背面側に押圧されると、それに固定された可動スイッチ片５４が固定スイッチ片４２に接触する。その結果、配電コンセント部３１に連結された差し込みプラグＰのピンＰ２は、差し込みプラグ接点部５２、可動スイッチ片５４、固定スイッチ片４２、電源プラグ部２１のピン２２を順次介して給電コンセントＣの前記給電端子に導通し、給電コンセントＣと差し込みプラグＰとが導通状態となる。
【００３４】
このように、本実施形態のアダプタ１においては、機器側回転部３は、給電側固定部２に対して、給電コンセントＣと差し込みプラグＰとの導通位置及び遮断位置それぞれにおいて位置決めされるようになっている。
【００３５】
そして、本実施形態においては、配電コンセント部３１に差し込みプラグＰが連結された状態において、前記導通位置におけるグリップ部Ｐ１の扁平方向Ｄ１に対して前記遮断位置におけるグリップ部Ｐ１の扁平方向Ｄ２のなす角は、実質的に９０度である。実質的に９０度であるとは、前記なす角が８０〜１００度であることをいう。該なす角は、８５〜９０度であることが好ましい。
【００３６】
給電コンセントＣのピン挿通孔Ｃ１は水平方向に配列しているため、図１（ｂ）及び図７に示すように、前記導通位置における差し込みプラグＰのグリップ部Ｐ１の扁平方向Ｄ１は水平方向となる。また、図１（ａ）及び図４（ａ）に示すように、前記遮断位置における差し込みプラグＰのグリップ部Ｐ１の扁平方向Ｄ２は、ほぼ垂直方向になる。
【００３７】
このように構成された本実施形態のアダプタ１においては、図１（ｂ）、図６及び図７に示すように、機器側回転部３を回転させて、差し込みプラグＰのグリップＰ１の扁平方向Ｄ１を水平方向に配置すると、その回転位置で位置決めされ、差し込みプラグＰのピンＰ２が差し込みプラグ接点部５２を押圧して接触する。その結果、電源プラグ部２１と差し込みプラグＰとが導通し、延いては給電コンセントＣと差し込みプラグＰとが導通し、電気機器に給電が行われる。
【００３８】
一方、図１（ａ）、図４及び図５に示すように、機器側回転部３を回転させて、差し込みプラグＰのグリップＰ１の扁平方向Ｄ２をほぼ垂直方向に配置すると、その回転位置で位置決めされ、差し込みプラグＰのピンＰ２が差し込みプラグ接点部５２に接触しない状態となる。その結果、電源プラグ部２１と差し込みプラグＰとは導通せず、延いては給電コンセントＣと差し込みプラグＰとは導通しないため、電気機器には給電が行われない。
【００３９】
以上の説明の通り、本実施形態のアダプタ１によれば、電源プラグ部２１に対して配電コンセント部３１を回転させることにより、給電コンセントＣと差し込みプラグＰとの電気的な導通又は遮断を切り替えられるようになっているため、給電コンセントＣと差し込みプラグＰとのオン／オフの目視確認性に優れていると共に、構造的、ランニングコスト的にも優れている。
【００４０】
次に、第２実施形態のアダプタ１について説明する。第２実施形態については、第１実施形態と異なる点を中心に説明し、同様の点については説明を省略し、同じ符号を付してある。従って、第２実施形態については、前述の第１実施形態についての説明が適宜適用される。
【００４１】
第２実施形態のアダプタ１においては、図８に示すように、配電コンセント部３１に差し込みプラグＰが連結された状態において、導通位置におけるグリップ部Ｐ１の扁平方向（本実施形態では水平方向）に対して遮断位置におけるグリップ部Ｐ１の扁平方向Ｄ２のなす角が４０〜５０度となっている。該なす角は、４５度±３度であることが好ましい。それ以外は、第１実施形態と同様の構成を有している。
【００４２】
第２実施形態のアダプタ１によれば、図８に示すように、遮断位置における差し込みプラグＰのグリップ部Ｐ１の扁平方向Ｄ２が水平方向及び垂直方向の何れに対しても傾いて配置するため、給電コンセントＣと差し込みプラグＰとのオン／オフの目視確認性が一層向上している。
【００４３】
本発明のコンセントプラグアダプタは、前述した実施形態に制限されることなく、本発明の趣旨を逸脱しない限り適宜変更が可能である。
本発明のコンセントプラグアダプタが連結される給電コンセントは、建物の壁等に設けられたものに制限されず、延長コードの端部にコンセントが連結されてなるテーブルタップでもよい。
【図面の簡単な説明】
【００４４】
【図１】図１は、本発明のコンセントプラグアダプタの第１実施形態を介して、給電コンセントと差し込みプラグとが連結された状態を示す斜視図で、（ａ）は遮断状態を示す図、（ｂ）は導通状態を示す図である。
【図２】図２は、本発明のコンセントプラグアダプタの第１実施形態を、図１（ａ）の遮断状態で示す図で、（ａ）は背面図、（ｂ）は（ｄ）に示すＢ−Ｂ’切断線で切断した部分縦断面図、（ｃ）は正面図、（ｄ）は（ｂ）に示すＤ−Ｄ’切断線で切断した部分横断面図である。
【図３】図３（ａ）及び図３（ｂ）は、それぞれ図２（ｂ）に示すIIIＡ−IIIＡ断面図及びIIIＢ−IIIＢ断面図である。
【図４】図４は、第１実施形態のアダプタを介して、給電コンセントと差し込みプラグとが電気的に遮断状態で連結された状態を示す図で、（ａ）は前後方向に沿う部分縦断面図〔図２（ｂ）対応図〕、（ｂ）は（ａ）に示すＢ−Ｂ断面図、（ｃ）は（ａ）に示すＣ−Ｃ断面図である。
【図５】図５は、図４（ａ）に示す状態の部分横断面図〔図２（ｄ）対応図〕である。
【図６】図６は、第１実施形態のアダプタを介して、給電コンセントと差し込みプラグとが電気的に導通状態で連結された状態を示す図で、（ａ）は前後方向に沿う部分縦断面図、（ｂ）は（ａ）に示すＢ−Ｂ断面図、（ｃ）は（ａ）に示すＣ−Ｃ断面図である。
【図７】図７は、図６（ａ）に示す状態の部分横断面図である。
【図８】図８は、本発明のコンセントプラグアダプタの第２実施形態を介して、給電コンセントと差し込みプラグとが電気的に遮断状態で連結された状態を示す斜視図〔図１（ａ）対応図〕である。
【符号の説明】
【００４５】
１  コンセントプラグアダプタ（アダプタ）
２  給電側固定部
２１  電源プラグ部
２２  ピン
３  機器側回転部
３１  配電コンセント部
３２  ピン挿通孔
３３  抜け止めバネ
３４  内側摺動部
３５  機器側フランジ
３６  給電側フランジ
３７  係合凹部
４  プラグ固定部
４１  固定部本体
４２  固定スイッチ片
５  スイッチ部
５１  スイッチ部本体
５１Ａ  スイッチ可動空間
５２  差し込みプラグ接点部
５３  接点部付勢バネ
５４  可動スイッチ片
６  回転部収容部
６１  収容部本体
６２  回転部摺動空間
６２Ａ  小径部
６２Ｂ  大径部
６３  係合凸部
６４  係合凸部付勢バネ
Ｃ  給電コンセント
Ｃ１  ピン挿通孔
Ｐ  差し込みプラグ
Ｐ１  グリップ
Ｐ２  ピン
Ｐ３  ケーブル
【図１】
2007172850.tif 000003
【図２】
2007172850.tif 000004
【図３】
2007172850.tif 000005
【図４】
2007172850.tif 000006
【図５】
2007172850.tif 000007
【図６】
2007172850.tif 000008
【図７】
2007172850.tif 000009
【図８】
2007172850.tif 000010